(57)【要約】【課題】  簡単な機器構成で、サージレス、始動性改善、放電灯破損の抑制、放電灯消灯後瞬時再点灯化および放電灯点滅化を達成する。【解決手段】  定常の放電灯点灯電圧を供給する交流電源３に対して、その開閉を行う第４開閉器７を介して、２次側のインピーダンス低下に応じて出力電流を制限することが可能な第１変圧器２と、安定器４と、放電灯５とを直列に接続し、第１変圧器２の２次側端子間に短絡用の第１開閉装置９を接続し、放電灯端子と並列に出力電圧によってインピーダンス変化を生じる第２変圧器１３を接続している。【選択図】 図１
2007141763.tif 000002
【特許請求の範囲】
【請求項１】
放電灯点灯中に放電灯点灯継続電圧を供給する電源回路に対して、
２次側のインピーダンス低下に応じて出力電流を制限することが可能な変圧器（２）によって所定の電圧を発生する電圧発生回路と、安定器（４）とを直列に接続してなる始動回路と、
前記変圧器（２）の２次側端子間を短絡するための第１開閉装置（９）と
を接続してあることを特徴とする放電灯点灯回路。
【請求項２】
前記変圧器（２）は、漏洩変圧器またはネオントランスである請求項１に記載の放電灯点灯回路。
【請求項３】
前記変圧器（２）の１次側において、その端子間を短絡させる第２開閉装置（１０）と、その端子に対する電源供給、電源非供給を選択させる第３開閉装置（６）とを接続してある請求項１または請求項２に記載の放電灯点灯回路。
【請求項４】
前記始動回路は、発振回路を含んでいる請求項１から請求項３の何れかに記載の放電灯点灯回路。
【請求項５】
前記発振回路は、２次側のインピーダンス変化に応じて出力電圧を可変させることが可能な変圧器と、その出力電圧によってインピーダンス変化を生じる手段（１３）を含んでいる請求項４に記載の放電灯点灯回路。
【請求項６】
放電灯の消灯時にも、始動放電を行わせる制御を行う放電制御手段をさらに含む請求項３から請求項５の何れかに記載の放電灯点灯回路。
【請求項７】
放電灯の点灯時に、始動放電を行わせる時間を制御する時間制御手段をさらに含む請求項３から請求項５の何れかに記載の放電灯点灯回路。
【発明の詳細な説明】
【技術分野】
【０００１】
この発明は、ＨＩＤ（高輝度放電灯）などの放電灯を点灯させるための回路に関する。
【背景技術】
【０００２】
従来から、放電灯点灯回路としては、スイッチングをさせることによって発振させるインバータを用いる回路や、パルス発生器を用いる回路、電源回路をチョッピンングすることによって発振させるチョッパーを用いる回路などが知られている（特許文献１、特許文献２、特許文献３参照）。
【特許文献１】特開昭５８−１１７６８１号公報
【特許文献２】特開平１０−２２５１３６号公報
【特許文献３】特開２００４−６３１１６号公報
【発明の開示】
【発明が解決しようとする課題】
【０００３】
放電灯は、始動時に高い電圧を印加して放電を開始させる必要があるが、高い電圧となるために、スイッチングやチョッピングなどを用いて印加電圧に変化を与え、始動放電を容易にしている。
【０００４】
しかし、放電灯が大容量になるほど放電開始のために必要な電圧や電流が上昇し、半導体素子を用いて始動回路を形成することが困難になる。
【０００５】
よって、大容量の放電灯を点灯させるに当たっては、単純に高電圧（放電開始電圧）を直接印加して放電を開始させた後、通常電圧（放電継続電圧）を印加することになるが、この場合には、電圧切り替え時の循環電流や、始動電圧遮断時に発生する遮断機開閉サージなどが点灯制御回路に影響を及ぼすなどの問題があった。
【０００６】
そのため、循環電流や開閉サージを発生させないような放電灯点灯回路が望まれていた。
【０００７】
また、始動性向上対策として従来実施していた電圧上昇では、機器の絶縁設計などが問題となるため、別の手段による始動性改善が望まれていた。
【０００８】
一方、放電灯の宿命である消灯後の瞬時再点灯および点滅が不可能であることも、放電灯を用いる施設などの運営上支障をきたすことが多く、課題となっていた。
【０００９】
さらに、一般的な放電灯の消灯動作を行う場合には、単に電源電圧の印加を停止することが採用されていたが、この場合には、点灯による熱が瞬時に無くなるために、急激な温度低下を招いてしまう。一般的に放電灯に使用される発光管や保護管、外管などは、ガラスやセラミックなどからなるものであるから、温度の急変によって破損や亀裂発生などを招き易く、放電灯消灯時の破損や故障発生の原因の１つとなっている。
【００１０】
また、放電灯の点灯時においても、温度の急激な変化は、上記と同様の不都合を生じさせてしまう。
【課題を解決するための手段】
【００１１】
請求項１に係る放電灯点灯回路は、放電灯点灯中に放電灯点灯継続電圧を供給する電源回路に対して、２次側のインピーダンス低下に応じて出力電流を制限することが可能な変圧器によって所定の電圧を発生する電圧発生回路と、安定器とを直列に配してなる始動回路と、前記変圧器の２次側端子間を短絡するための第１開閉装置とを配したものである。
【００１２】
この場合には、始動回路で始動放電を行い、始動放電の完了後、前記変圧器の２次側端子に配した開閉装置を閉路させて２次側端子間を短絡させることによって主点灯させることができる。
【００１３】
請求項２に係る放電灯点灯回路は、前記変圧器として、漏洩変圧器またはネオントランスを例示することができる。
【００１４】
請求項３に係る放電灯点灯回路は、前記変圧器の１次側において、その端子間を短絡させる第２開閉装置と、その端子に対する電源供給、電源非供給を選択させる第３開閉装置とを配したものである。
【００１５】
この場合には、第２開閉装置を配することによって、始動放電後に始動回路を遮断する際に発生する遮断サージや残留電荷を吸収させることができ、第３開閉装置を配することによって、始動回路を引き外し、主放電中の損失を低減させることができる。
【００１６】
請求項４に係る放電灯点灯回路は、前記始動回路として、発振回路を含むものを採用している。ここで、発振回路としては、パルス発生回路、インバータなどが例示できる。
【００１７】
この場合には、通常電圧を印加する場合よりも始動性を向上させることができる。
【００１８】
請求項５に係る放電灯点灯回路は、前記発振回路として、２次側のインピーダンス変化に応じて出力電圧を可変させることが可能な変圧器と、その出力電圧によってインピーダンス変化を生じる手段とを含むものである。
【００１９】
この場合には、半導体素子などによる発振回路を形成することなく高電圧をダイレクトに発振させることができ、始動性を向上させることができる。
また、始動電圧印加中に第１開閉装置を入り切りすることにより、放電灯の消灯後の瞬時再点灯や点滅を実現することができる。
【００２０】
請求項６に係る放電灯点灯回路は、放電灯の消灯時にも、始動放電を行わせる制御を行う放電制御手段をさらに含むものである。
【００２１】
この場合には、温度を徐々に低下させることができる。
【００２２】
請求項７に係る放電灯点灯回路は、放電灯の点灯時に、始動放電を行わせる時間を制御する時間制御手段をさらに含むものである。
【００２３】
この場合には、放電灯内部の封入物が安定するまで始動放電を継続させてから放電灯を点灯させることができる。
【発明の効果】
【００２４】
本発明によれば、変圧器、安定器および第１開閉器のみの簡単な機器構成により、１ｋＷを超える大容量放電灯など、高電圧を要求されるような放電灯に好適な放電灯点灯回路を容易に実現できる。
【００２５】
そして、始動放電後に第１開閉器を閉路することにより放電灯への印加電圧を切り替えるため開閉サージ防止を図ることが出来る。
【００２６】
また、所定の電圧を点灯電圧に重畳することにより、並列異電圧印加時に発生する循環電流を防止できる。
【００２７】
さらに、始動回路に残留電荷防止を実施することにより点灯中に始動回路を引き外すことが可能になり、点灯中における始動回路への充電による損失を低減させることが可能になる。
【００２８】
さらにまた、始動回路として発振回路を含むものを採用することにより、始動性を改善することができる。
【００２９】
特に、前記発振回路として、２次側のインピーダンス変化に応じて出力電圧を可変させることが可能な変圧器と、その出力電圧によってインピーダンス変化を生じる手段とを含むものを採用することによって、１ｋＷを超える大容量放電灯など高電圧を要求される放電灯を点灯する場合において、半導体素子を用いなくてもダイレクトに高電圧発振させることが可能になり、簡単な機器構成での始動性改善も実現することができる。
【００３０】
この場合、放電灯には困難であった消灯後の瞬時再点灯および点滅を容易に実現することができる。
【００３１】
また、放電灯の消灯時にも、始動放電を行わせる制御を行う放電制御手段をさらに含むことにより、温度を徐々に低下させ、温度の急激な低下に起因する不都合の発生を防止することができる。
【００３２】
また、放電灯の点灯時に、始動放電を行わせる時間を制御する時間制御手段をさらに含むことにより、放電灯内部の封入物が安定するまで始動放電を継続させてから放電灯を点灯させ、点灯時の放電灯の破損防止、寿命短縮の軽減を達成することができる。
【発明を実施するための最良の形態】
【００３３】
以下、本発明の実施の形態を添付図面に基づいて説明する。
【００３４】
図１は本発明の一実施形態に係る放電灯点灯回路である。
【００３５】
この放電灯点灯回路は、定常の放電灯点灯電圧（放電灯点灯継続電圧）を供給する第１交流電源３に対して、その開閉を行う第４開閉器７を介して、２次側のインピーダンス低下に応じて出力電流を制限することが可能な第１変圧器２と、安定器４と、放電灯５とを直列に接続している。そして、第１変圧器２と、安定器４とを含む始動電圧回路で始動放電に必要な高電圧（放電開始電圧）を発生し、放電灯５における放電を開始させる。この実施形態では、第１交流電源３に対して第１変圧器２を直列に接続して、両電圧を加算しているので、レベルの異なる主放電電圧（放電継続電圧）との切り替え時の循環電流を防止することができる。
【００３６】
ここで、第１変圧器２として、２次側のインピーダンス変化に応じて出力電流を制限するだけでなく、出力電圧を可変させることも可能な変圧器を採用し、それと並列に放電灯の点灯電圧を供給する第１交流電源３と安定器４が接続されている。一方、これら全体の出力電圧が印加される（始動電圧が印加される放電灯端子と並列に配する）箇所に、出力電圧によってインピーダンス変化を生じる第２変圧器１３を接続することによって、発振を生じさせることができ、始動性が向上するため、より好ましい。
【００３７】
第１変圧器２は、一定のインピーダンスを保持する負荷に対しては、二次側出力電圧は変化しないが、負荷インピーダンスが変動する場合は、それに見合った二次側出力電圧を出力するものである。ここで、負荷インピーダンスが下がる場合に二次側出力電圧が下がり、負荷インピーダンスが上がる場合に二次側出力電圧が上がるものであることが好ましい。また、負荷インピーダンスが下がる場合に二次側出力電圧が上がり、負荷インピーダンスが上がる場合に二次側出力電圧が下がるものについても好ましく使用出来る。ここで、第１変圧器２に対して符号が反対の比例定数を持った特性の前記第２変圧器１３の使用が好ましい。
【００３８】
具体的には、第１変圧器２として、漏洩変圧器（リーケージトランス）、ネオントランスが例示できる。これらは、二次側の定電流制御特性を有しており、そのために負荷側のインピーダンス変化に応じて二次側出力電圧を変化させることができる。すなわち、負荷インピーダンスが低下すると、一定電流保持のために二次側出力電圧を低下させることができ、負荷インピーダンスが上がると、一定の電流保持のために二次側出力電圧を上昇させることができるので、好ましい。
【００３９】
第２変圧器１３は、第１変圧器２の二次側出力電圧と第１交流電源３を加算した電圧によってインピーダンス変化を生じるものである。第１変圧器２の二次側出力電圧と第１交流電源３を加算した電圧によるインピーダンス変化としては、第１変圧器２の二次側出力電圧と第１交流電源３を加算した電圧が高い場合には自己インピーダンスを下げ、その逆の場合は自己インピーダンスを上げるものであることが好ましい。また、第１変圧器２の二次側出力電圧と第１交流電源３を加算した電圧がある一定値以上の場合に急激にそのインピーダンスを低下させ、第１変圧器２の二次側出力電圧が第１交流電源３を加算した電圧一定値以下になった場合に速やかにそのインピーダンスを上昇させるものであることが一層好ましい。このように、急激にインピーダンスを変化させることで、ランプなどの点灯を容易にすることができる。
【００４０】
具体的には、第２変圧器１３として、印加電圧によって自己インピーダンスが変化する特性を持った計器用変成器、計器用変圧器、リアクトルなどの半導体デバイスを含まない機器が例示できる。計器用変圧器を一例に挙げて説明すると、その定格電圧以上の電圧を印加した場合において鉄心の磁束飽和現象などの影響によって自己インピーダンスが急激に低下する。すなわち、印加電圧の変化によってインピーダンスを変化させることを可能にし、特に印加電圧が高い状態でインピーダンスが低下し、その逆の場合は大きくなるために好ましい。
【００４１】
次いで、発振動作を説明する。
【００４２】
放電灯５の端子電圧が印加されていない状態もしくは、第１交流電源３のみが印加されている状態においては、第２変圧器１３はインピーダンスが高い状態である。
【００４３】
その後、第２交流電源１が第１変圧器２の一次側巻線に印加されると、二次側巻線には、二次側のインピーダンスに応じた二次側出力電圧が発生する。
【００４４】
そして、第１変圧器２の二次側出力電圧と第１交流電源３を加算した電圧が第２変圧器１３の定格電圧以上である場合には、第２変圧器１３のインピーダンスは急激に下がる。第２変圧器１３のインピーダンスが急激に下がると、第１変圧器２の二次側電圧が下がり、第２変圧器１３の定格電圧以下になるため、第２変圧器１３のインピーダンスが上がる。第２変圧器１３のインピーダンスが上がると、第１変圧器２の二次側出力電圧が上がるため、第１変圧器２の二次側出力電圧と第１交流電源３を加算した電圧が、第２変圧器１３の定格電圧以上になり、第２変圧器１３のインピーダンスは急激に下がる。
【００４５】
以下、第２変圧器１３のインピーダンスの変化と第１変圧器２の二次側出力電圧と第１交流電源３を加算した電圧の変化とが反復されることにより、放電灯５に印加される出力電圧が発振出力電圧になる。
【００４６】
ただし、第１変圧器２の二次側出力電圧と第１交流電源３を加算した電圧が第２変圧器１３のインピーダンスに変化をもたらす電圧値より小さい場合もしくは、放電灯５が始動放電を開始するなどの状態となり、第１変圧器２の二次側出力電圧と第１交流電源３を加算した電圧が第２変圧器１３のインピーダンスに変化をもたらす電圧値より小さくなった場合には、第２変圧器１３のインピーダンスが変化しないので、放電灯５に印加される出力電圧が発振出力電圧になることはない。
【００４７】
このような発振回路を用いた場合の出力発振波形は、第２変圧器１３のインピーダンスに変化をもたらす電圧値以下では発振出力電圧にならないことから、交流回路においては、波形の頭頂部付近のみで発振することになる。
【００４８】
その後、第１変圧器２の２次側端子間に短絡用の第１開閉装置９を接続し、それを閉路させることによって第１交流電源３のみの電圧レベルとなり放電灯５を点灯継続させることができる。特に高電圧を発生する始動電圧回路を遮断せずに投入させることができるため、遮断時に特に大きくなる開閉サージを大幅に抑制させることができる。このように始動電圧回路を短絡しても、第１変圧器２により出力電流が制限されるため問題はない。
【００４９】
そして、第１開閉装置９の入り切りを繰り返すと、放電灯５を点滅させることが出来る。また、一般的に消灯後に数十分程度を必要とする放電灯再点灯のための冷却時間は、第２変圧器１３と第１変圧器２との組み合わせにより発振を掛けることにより始動性が向上するため必要でなくなる。すなわち、消灯直後の瞬時再点灯を可能とすることができる。
【００５０】
第１変圧器２として、漏洩変圧器またはネオントランスなどを用いることができ、さらに第１変圧器２の１次側の第２交流電源１を低圧のものにすると制御回路の簡単化や、開閉サージ低減を実現できるので好ましい。
【００５１】
また、第１変圧器２の１次側に第３開閉装置６を接続することにより始動電圧回路を引き外すことができ、その瞬間に第１変圧器２の１次側と並列に接続した第２開閉装置１０を投入することによって短絡回路が形成され、残留電荷を放電させて、低圧側遮断時の開閉サージを吸収させることができる。
【００５２】
この状態で第１変圧器２の２次側に接続した第５開閉装置８を開放すれば、主放電後に始動電圧回路を、サージを発生させることなく引き外すことができるため、運転中の始動電圧回路充電による損失を防止することができる。
【００５３】
次いで、図２のフローチャートを参照してさらに説明する。
【００５４】
ステップＳＰ１において放電灯点灯動作が開始されれば、ステップＳＰ２において第４開閉装置７を入れ、ステップＳＰ３において第２開閉装置１０を切り、ステップＳＰ４において第３開閉装置６を入れ、ステップＳＰ５において第５開閉装置８を入れ、ステップＳＰ６において始動放電を開始し、ステップＳＰ７において第１開閉装置９を入れ、ステップＳＰ８において放電灯を点灯し、ステップＳＰ９において第３開閉装置６を切り、ステップＳＰ１０において第２開閉装置１０を入れ、ステップＳＰ１１において第５開閉装置８を切り、ステップＳＰ１２において始動回路の切り離しを完了し、ステップＳＰ１３において放電灯点灯動作を終了する。
【００５５】
ここで、始動放電開始後、直ちに第１開閉装置９を入れるのではなく、放電灯内部の封入物が安定するまで始動放電を継続させてから点灯させることが好ましい。
次いで、図３のフローチャートを参照して消灯動作を説明する。
【００５６】
消灯時において図３のソフト消灯側を選択して、消灯させる。その際に始動放電状態であることを消灯放電と呼び、その状態を長く継続するほど、放電灯の破損や亀裂の抑制に繋がる。特に放電灯内封入物が冷却・凝縮され安定するまでは消灯放電を継続させるのが好ましい。
【００５７】
また、緊急時の停止方法としては図３のダイレクト消灯側（一般的な消灯動作）を選択し、素早く遮断させることが好ましい。
【００５８】
さらに説明する。
【００５９】
ステップＳＰ１において放電灯消灯動作が開始されれば、ステップＳＰ２においてソフト消灯、ダイレクト消灯の一方を選択する。
【００６０】
ソフト消灯が選択された場合には、ステップＳＰ３において第２開閉装置１０を切り、ステップＳＰ４において第３開閉装置６を入れ、ステップＳＰ５において第５開閉装置８を入れ、ステップＳＰ６において第１開閉装置９を入れ、ステップＳＰ７において始動放電を開始し、ステップＳＰ８において第３開閉装置６を切り、ステップＳＰ９において第２開閉装置１０を入れ、ステップＳＰ１０において第５開閉装置８を切り、ステップＳＰ１１において第４開閉装置７を切り、ステップＳＰ１２において放電灯消灯動作を完了する。
【００６１】
逆に、ダイレクト消灯が選択された場合には、ステップＳＰ３〜ステップＳＰ５の処理およびステップＳＰ７〜ステップＳＰ１０の処理を省略する。
【００６２】
消灯時においては、添付図での消灯の選択を可能にし、緊急時はダイレクト消灯、定常の消灯時は、ソフト消灯を選択させる。図２の事例では、消灯時の封入物の冷却による安定までに４０分かかるため、消灯放電時間を４０分とした。
【００６３】
点灯時においては、放電灯内部の封入物が安定するまで３０分かかるため、始動放電継続時間を３０分とした。
【実施例】
【００６４】
以下、本発明に係る放電灯点灯回路の実施例について添付図面を参照して詳述する。
図４はその回路図である。
【００６５】
第１交流電源３によってＡＣ１１００Ｖ、６０Ｈｚの交流電圧が印加され、第１交流電源３に対して直列に漏洩変圧器１１、放電灯５、および１００Ａに電流制限する安定器４が接続されている。
【００６６】
一方、漏洩変圧器１１の１次側が接続される交流電源１はＡＣ２２０Ｖ、６０Ｈｚの交流電圧を出力し、電源の入り切り制御を低圧で行う。そして、漏洩変圧器１１の二次電圧は、放電灯５が始動放電を開始する電圧（この実施例の場合は６６００Ｖ）から、直列に接続、重畳される第１交流電源３の電圧（この実施例の場合は１１００Ｖ）を減算した電圧（この実施例の場合は５５００Ｖ）とする。また、放電灯端子１２と並列に、一次側の定格電圧が１１００Ｖ、二次側の定格電圧が１１０Ｖの仕様の計器用変圧器１４を接続している。さらに、この実施例では、放電灯５の定格電圧は１１００Ｖ、始動放電開始電圧は６６００Ｖである。
【００６７】
次いで、放電灯点灯動作を説明する。    先ず、第２交流電源１および第１交流電源３を供給してから（具体的には、例えばコンセントにプラグを差し込んでから）、第４開閉装置７を閉路する。そして、始動電圧を印加するために、第２開閉器１０を開路してから第３開閉器６を閉路した後、第５開閉器８を閉路する。
【００６８】
この状態で放電灯端子１２には、第１交流電源３と漏洩変圧器１１の２次電圧とが加算され、６６００Ｖが印可される。その際に、計器用変圧器１４の１次側の定格電圧を超過することになるため、漏洩変圧器１１との間で発振現象が起こり、そのことによってランプ５は容易に始動放電を開始する。
【００６９】
その後、放電が完了したために起こる放電灯端子１２での電圧低下を確認した後、第１開閉装置９を閉路する。これにより、放電灯端子１２には１１００Ｖの交流電圧が印加されると同時に、安定器４によって１００Ａに電流制限が掛かり、安定した主放電を開始する。
【００７０】
また、この状態で第１開閉装置９の入り切り操作を繰り返すと、計器用変成器１４の働きにより容易に発振を掛けることが可能であるため、放電灯５を点滅させることができるほか、消灯直後であっても瞬時に再点灯させることが可能になる。
【００７１】
その後、第３開閉装置６を開路させると同時に第２開閉装置１０を閉路させて開閉サージを吸収し、第５開閉装置８を開路させて漏洩変圧器１１を主放電回路と切り離して、主点灯継続のための動作を完了する。
【００７２】
この場合においては、２次側のインピーダンス変化に応じて出力電流を制限し、かつ出力電圧を可変することが可能な変圧器として使用する漏洩変圧器１１の２次電圧が５５００Ｖで、それに直列に第１交流電源３の１１００Ｖが加算され、放電灯端子１２に６６００Ｖが印加される。それに対して出力電圧によってインピーダンス変化を生じる手段を含む変圧器として使用する計器用変成器１４の定格電圧が１１００Ｖであるために、前述の通り発振回路が形成されることとなる。
【００７３】
消灯時においては、添付図での消灯の選択を可能にし、緊急時はダイレクト消灯、定常の消灯時は、ソフト消灯を選択させる。図４の実施例では、消灯時の封入物の冷却による安定までに４０分かかるため、消灯放電時間を４０分とし、点灯時においては、放電灯内部の封入物が安定するまで３０分かかるため、始動放電継続時間を３０分とすればよい。
【産業上の利用可能性】
【００７４】
放電灯の点灯回路を簡単な機器構成で構成できるほか、開閉サージや循環電流などの問題が解決できる。
【００７５】
特に１ｋＷを超えるような大容量の放電灯点灯回路においては、始動時に高い始動電圧を要求される一方、点灯中は大電流を要求されるなど設備的な要求が存在する中で、安価かつ簡単、高信頼性、省エネなどを満足する放電灯点灯回路として利用することができる。
【００７６】
スタジアムや公共施設（トンネルや道路）において、停電後の再点灯に要する待機時間を無くすことができるほか、劇場や灯台など高圧放電灯の点滅を要求する用途においても利用が可能となる。電源回路構成としても、簡単な機器構成で、発振回路に必要とされていた半導体を省くことが可能になる。
【図面の簡単な説明】
【００７７】
【図１】本発明の放電灯点灯回路の一実施形態を示す電気回路図である。
【図２】放電灯点灯動作の一例を説明するフローチャートである。
【図３】放電灯消灯動作の一例を説明するフローチャートである。
【図４】本発明の放電灯点灯回路の一例を示す電気回路図である。
【符号の説明】
【００７８】
１  第２交流電源
２  第１変圧器
３  第１交流電源
４  安定器
５  放電灯
６  第３開閉装置
７  第４開閉装置
８  第５開閉装置
９  第１開閉装置
１０  第２開閉装置
１１  漏洩変圧器
１２  放電灯端子
１３  第２変圧器
１４  計器用変圧器
【図１】
2007141763.tif 000003
【図２】
2007141763.tif 000004
【図３】
2007141763.tif 000005
【図４】
2007141763.tif 000006